(57)【要約】      （修正有）【課題】操作柄およびこれを取り付けるブラシヘッドの保管、管理とを容易にするだけでなく、清掃時に操作柄とブラシヘッドとの間でガタが発生するのを防止する。【解決手段】ブラシヘッドに、テーパ孔１０ａおよび雌型螺条部１０ｂからなる取付孔１０を設け、操作柄に、下方に向かって径小となるテーパ部およびこのテーパ部の下方に連続する雄型螺条部からなる取付部を設け、前記テーパ孔１０ａおよびテーパ部の一方には複数本の凹溝１１を設け、他方にはその凹溝１１に嵌合可能な凸条を設け、雌型螺条部１０ｂに対する雄型螺条部の螺入による前記テーパ孔１０ａとテーパ部との接合時に、凹溝１１のいずれかに凸条が嵌まり込む構成である。【選択図】図５
0003133816.tif 000002
【実用新案登録請求の範囲】
【請求項１】
ブラシヘッドの下面に刷毛が植設され、上面縁側中央部に斜め方向に延びる操作柄が取り付けられる清掃ブラシであって、
前記ブラシヘッドの操作柄装着部は、テーパ状に拡開するテーパ孔とこれに続く雌型螺条を形設した取付孔が形成されると共に、前記操作柄の先端には、前記テーパ状と前記雌型螺条に対応するテーパ部とこれに続く雄型螺条を形設した取付部が形成されてなり、
前記テーパ孔および前記テーパ部の一方には複数条の放射状の凹溝が設けられ、他方にはその凹溝に対応し嵌着可能な凸条が設けられ、
前記取付部を前記取付孔に螺入することにより、前記テーパ孔と前記テーパ部の前記凹溝のいずれかに前記凸条が嵌着することを特徴とする清掃用ブラシ。
【請求項２】
前記テーパ孔に、複数条の放射状の凹溝が設けられと共に、前記テーパ部には前記凹溝に嵌着する凸条が設けられていることを特徴とする請求項１に記載の清掃用ブラシ。
【請求項３】
前記テーパ部に複数条の放射状の凸条が設けられと共に、前記テーパ孔には前記凸条に嵌着する凹溝が設けられていることを特徴とする請求項１に記載の清掃用ブラシ。
【請求項４】
前記ブラシヘッドは、前部下側縁部に固形物掻き落し用のナイフエッジ部が形成されていることを特徴とする請求項１ないし３のいずれか１に記載の清掃用ブラシ。
【請求項５】
前記ブラシヘッドは、硬質の合成樹脂、木製或いは軽金属で成形されていることを特徴とする請求項１ないし４のいずれか１に記載の清掃用ブラシ。
【考案の詳細な説明】
【技術分野】
【０００１】
本考案は、床などの汚れ落としに使用する清掃ブラシに関する。
【背景技術】
【０００２】
建物の廊下、運搬車の荷台、船舶の甲板、厨房やガレージの床などにおける汚れ落しには、従来からデッキブラシと呼ばれる清掃ブラシが広く用いられている。この清掃ブラシは、棒状の操作柄の先端にブラシヘッドを取り付けたものからなり、このブラシヘッドの下面には、多数本の硬質刷毛が所定のパターンにて植設されている（例えば、特許文献１参照）。
【０００３】
この清掃ブラシは、清掃作業者が操作柄を両手または片手で握り、水を含ませた刷毛の先端部を床に押し付けるように操作することによって、床面にこびりついた汚れを掻き落とすことができる。
【０００４】
また、一般的な清掃ブラシでは、ブラシヘッドと操作柄とを、ピンなどの止め具を用いて一体に剛結合し、或いは操作柄の先端をブラシヘッドの螺孔に着脱可能に螺合する構成となっている。従って、ブラシヘッドと操作柄との間でガタツキを生じることがなく、清掃作業者の操作力を無駄なくブラシヘッドおよび刷毛に伝えることができる。
【特許文献１】特開２０００‐１１６５６７号公報
【考案の開示】
【考案が解決しようとする課題】
【０００５】
しかしながら、ブラシヘッドと操作柄とが一体結合された従来の清掃ブラシにあっては、作業者の操作力を刷毛の先端部に伝えることができるものの、保管、管理のための占有空間が大きくなる。また、風通しの良くない保管場所では刷毛が乾燥しにくく、設置の仕方によっては刷毛の曲がり癖、圧縮癖が付いてしまい、直後の使用に支障をきたすという不都合があった。
【０００６】
また、刷毛が損傷したり磨耗したりした場合には、操作柄には使用上問題がないにも拘らず、この操作柄、つまり清掃ブラシの全体を廃棄する必要があり、不経済となり資源の無駄使いにもなる。
【０００７】
一方、操作柄をブラシヘッドに設けられた螺孔に螺合して使用する清掃ブラシでは、これを使用して清掃をしている途中に螺合が緩みだし、ブラシヘッドがその螺合部でガタツキを生じて、遂には操作柄がブラシヘッドから抜け落ちるという不都合があった。
【０００８】
本考案は、前記のような従来の問題点に着目してなされたものであり、操作柄の先端をブラシヘッドに対し、清掃作業者が任意に着脱可能にして、これらの保管、管理および刷毛の乾燥を容易化するとともに、刷毛の磨耗時における交換を容易に行えるようにし、さらに清掃時に操作柄とブラシヘッドとの間でガタが発生するのを確実に防止することができる清掃ブラシを得ることを目的とする。
【課題を解決するための手段】
【０００９】
前記目的達成のために、本考案の請求項１にかかる清掃ブラシは、ブラシヘッドの下面に刷毛が植設され、上面縁側中央部に斜め方向に延びる操作柄が取り付けられる清掃ブラシであって、前記ブラシヘッドの操作柄装着部は、テーパ状に拡開するテーパ孔とこれに続く雌型螺条を形設した取付孔が形成されると共に、前記操作柄の先端には、前記テーパ状と前記雌型螺条に対応するテーパ部とこれに続く雄型螺条を形設した取付部が形成されてなり、前記テーパ孔およびテーパ部の一方には複数条の放射状の凹溝が設けられ、他方にはその凹溝に対応し嵌着可能な凸条が設けられ、前記取付部を前記取付孔に螺入することにより、前記テーパ孔と前記テーパ部の前記凹溝のいずれかに前記凸条が嵌着することを特徴とする。
請求項２に係るにかかる清掃ブラシは、前記テーパ孔に、複数条の放射状の凹溝が設けられと共に、前記テーパ部には前記凹溝に嵌着する凸条が設けられていることを特徴とする。
請求項３に係るにかかる清掃ブラシは、前記テーパ部に複数条の放射状の凸条が設けられと共に、前記テーパ孔には前記凸条に嵌着する凹溝が設けられていることを特徴とする。
【００１０】
請求項１〜３によれば、ブラシヘッドと操作柄とは、雌型螺条部および雄型螺条部との螺合に伴って、凹溝と凸突が嵌合すると共に、操作柄を強く回転させることによって、嵌着が解除され、ブラシヘッドと操作柄を分離することになり、これらの保管、管理や交換作業を容易化できる。
また、螺合操作時にあってはその操作力を受けてテーパ孔とテーパ部との接触に続いて、そのテーパ孔に設けられた凹溝（または凸条）がテーパ部にある凸条（または凹溝）のいずれかに、一時的に大きな摩擦力を及ぼし合いながら嵌官することになり、簡単に外れることが無い。
【００１１】
従って、この嵌まり込み状態が安定に保持され、操作柄に大きな回転力を加えない限り、操作柄からブラシヘッドに清掃作業に伴う外力を加えただけでは、その嵌合状態は容易に解除されない。このため、操作柄とブラシヘッドとが一体化し、清掃作業を容易、軽快に行うことができる。
【００１２】
請求項４に係るにかかる清掃ブラシは、前記ブラシヘッドが、前部下側縁部に固形物掻き落し用のナイフエッジ部が形成されていることを特徴とする。
請求項５に係るにかかる清掃ブラシは、前記ブラシヘッドが、硬質の合成樹脂、木製或いは軽金属で成形されていることを特徴とする。
この構成により、ブラシヘッド前部下側縁部のナイフエッジ部を使って、床等に固着したガムなどの固形物を、簡単に掻き起すことができる。従って、この固形物を箒などを用いて簡単に掃き捨てることができる。
【考案の効果】
【００１３】
本考案によれば、清掃作業者は、操作柄の先端をブラシヘッドに対し任意に着脱することで、これらの操作柄やブラシヘッドの保管、管理および刷毛の乾燥を容易化できるとともに、刷毛の磨耗時等におけるブラシヘッドのみの交換によって、省資源に寄与できる。また、清掃中に操作柄とブラシヘッドとの間でガタが発生するのを確実に防止することができるという効果が得られる。
【考案を実施するための最良の形態】
【００１４】
以下に、本考案の実施の形態による清掃ブラシを、図面を参照しながら説明する。
図１は、本実施の形態による清掃ブラシ全体の斜視図、図２は、図１におけるブラシヘッドの正面図、図３は、そのブラシヘッドの平面図、図４は、そのブラシヘッドの側面図、図５は、そのブラシヘッドの縦断面図、図６は、図１における操作柄の正面図、図７は、この操作柄の下面図、図８は、ブラシヘッドと操作柄との螺合構造の縦断面図である。
【００１５】
本実施の形態による清掃ブラシは、図１に示すように、ブラシヘッド１と、刷毛２と、操作柄３とから構成されている。これらのうち、ブラシヘッド１は、図２〜図４に示すような硬質の合成樹脂、木製或いは軽金属等により一体成形されている。このブラシヘッド１は、正面を向いて見ると、左右端部から中央部に向かって緩やかに隆起する隆起部４を有する。
【００１６】
また、図４に示すように、側方から見ると、その隆起部４が前後部に傾斜する傾斜面５、６を持つ。このブラシヘッド１の底面７は全体として平坦であり、図２〜図５では図示を省略するが、この底面７側には多数本の刷毛２が植え込まれている。なお、この刷毛２の植え込み構造は、特に限定しない。
【００１７】
前記傾斜面５は、略垂直又は円弧状に垂下する背面部８を介して底面７に繋がっている。底面７は、前方において、ブラシヘッド１が載置される床面Ｌに対して、所定の間隙Ｇを作るように立ち上がり、傾斜面５に繋がっている。このため、その間隙Ｇ部分では、ブラシヘッド１の前部が、図４に示すように、先端部が尖ったナイフエッジ部９を形成している。
【００１８】
前記隆起部４は、前記傾斜面６に開口する所定深さの取付孔１０が斜め方向に、例えば垂直面に対し略４０度の角度（水平面に対し略５０度の角度）の傾きに設けられている。この取付孔１０は、開口部の一部でテーパ状に拡開するテーパ孔１０ａと、このテーパ孔１０ａに連続する雌型螺条部１０ｂとからなる。そして、テーパ孔１０ａには、円周方向の略等間隔位置に複数条（例えば、１６本）の半円状の凹溝１１が放射状に設けられている。
なお、図２および図３では、図面を読み取り易くするために、その雌型螺条部１０ｂの図示を省いて示してある。
【００１９】
一方、操作柄３は、図６および図７に示すように合成樹脂製の棒状体や筒状体からなる。この操作柄３は、上端部に、これを支柱などに吊り下げるための吊り孔１２が設けられている。この操作柄３の複数箇所には、従来品と同じように、滑り止め用の合成樹脂製やゴム製の摩擦部材が、巻きつけられている。なお、操作柄３自体を伸縮自在にすることも任意であり、清掃作業者の身長に合わせた使い方ができる。
【００２０】
操作柄３の下端は、ブラシヘッド１の取付部１３となっており、この取付部１３は下方に向かって径小になるテーパ部１３ａとこのテーパ部１３ａの下方に連続する雄型螺条部１３ｂとからなる。そして、テーパ部１３ａには、円周方向の略等間隔の位置に、複数条（凹溝１１の数より少ない、例えば、４本）の半円状の凸条１４が放射状に設けられている。
【００２１】
また、雄型螺条部１３ｂは、ブラシヘッド１側の雌型螺条部１０ｂに螺合可能な形状、サイズを有する。テーパ部１３ａとブラシヘッド１側のテーパ孔１０ａとの形状は略同等であって、テーパ孔１０ａに対しテーパ部１３ａが僅か小径に作られている。
なお、操作柄３の下端が、ブラシヘッド１の素材に対し柔らかい素材で作られたり、柔軟な構造である場合には、テーパ孔１０ａおよびテーパ部１３ａの形状、サイズを同一とすることができる。
【００２２】
また、前記テーパ孔１０ａに設けられる凹溝１１とテーパ部１３ａに設けられる凸条１４とは、相互に嵌合および嵌合解除が可能な形状、サイズとされている。
【００２３】
前記操作柄３はブラシヘッド１に対し次のように組みつけられる。まず、操作柄３の先端（下端）をブラシヘッド１の取付孔１０に臨ませて挿し入れ、さらに右ネジ方向に操作柄３を回転操作する。
【００２４】
この回転操作によって、操作柄３下端の雄型螺条部１３ｂがブラシヘッド１側の雌型螺条部１０ｂに螺入していく。このこの螺入が所定量以上進むと、操作柄３側の凸条１４が取付孔１０側の凹溝１１に臨み、さらに螺入を続けると、途中で前記凸条４が凹溝１１のいずれかに嵌まり込む。そして、凸条４が凹溝のいずれかと最も深く嵌合したとき、操作柄３のテーパ面１３ａとブラシヘッド１のテーパ面１０ａとが密接する。
【００２５】
この状態になると、その密着状態により操作柄３の下端はブラシヘッド１の取付孔１０内でガタツキが全く発生しなくなる。同時に、凸条１４が凹溝１１内に深く嵌まり込んでいるため、操作柄３の下端が取付孔１０内で回転方向にも位置ずれすることはない。清掃作業者は清掃ブラシの取り扱いおよび清掃作業を快適な使用感覚にて行うことができる。
従って、清掃中に操作柄３からブラシヘッド１に大きな操作力が加えられても、操作柄３がブラシヘッド１から抜けて分離することはない。
【００２６】
一方、操作柄３をブラシヘッド１から分離する場合には、前記操作柄３を前記各螺条１０ｂ、１３ｂ  を解除する方向に回転操作する。これにより、凸条１４が凹溝１１から強制的に抜け出て、続く回転操作により前記螺合の解除が進み、遂には取付孔１０内から操作柄３の下端がスムースに抜ける。
【００２７】
また、ブラシヘッド１に操作柄３を前記のように取付た清掃ブラシは、周知のデッキブラシと同様にして、刷毛２の掃き込み機能によって、床の上の汚れ落しに利用される。また、床にこびりついたガム等の固形物は、ブラシヘッド１前部のナイフエッジ部４を使って掻き起こすようにすれば、簡単にその固形物を床面から剥離し、除去することができる。
【００２８】
このように、本実施の形態による清掃ブラシは、ブラシヘッド１に、斜め上方に向かってテーパ状に拡開するテーパ孔１０ａおよびこれに連続する雌型螺条部１０ｂからなる取付孔１０を設け、操作柄３には、下方に向かって径小となるテーパ部１３ａおよびこのテーパ部１３ａ下方に連続する雄型螺条部１３ｂからなる取付部１３を設け、テーパ孔１０ａおよびテーパ部１３ａの一方には複数本の凹溝１１が設けられ、他方にはその凹溝１１に嵌合可能な凸条１４を設けて、前記雌型螺条部１０ｂに対する雌型螺条部１３ｂの螺入によるテーパ孔１０ａとテーパ部１３ａとの接合時に、前記凹溝１１のいずれかに前記凸条１４が嵌まり込むような構成とした。
【００２９】
従って、ブラシヘッド１と操作柄３とは雌型螺条部１１ｂおよび雄型螺条部１３ｂとの螺合および螺合解除により着脱可能になるため、ブラシヘッド１と操作柄３とを分離することで、これらの保管、管理や交換が簡単になる。一方、螺入時にあってはその操作力を受けてテーパ孔１０ａとテーパ部１３ａとが接触し、さらにそのテーパ孔１０ａに設けられた凹溝（または凸条）１１がテーパ部１３ａにある凸条（または凹溝）１４のいずれかに、大きな摩擦力を及ぼし合いながら嵌まり込む。
【００３０】
従って、この嵌まり込み状態が安定に保持され、操作柄３に大きな回転力を加えない限り、操作柄３からブラシヘッド１に清掃作業に伴う外力を加えただけでは、その嵌合状態は容易に解除されない。また、操作柄３とブラシヘッド１とがガタツキなく一体化することで、清掃作業が容易、軽快に実施できる。また、ブラシヘッド１前部のナイフエッジ部９を使って、床等に固着したガムなどの固形物を、簡単に掻き起すこともできる。
【産業上の利用可能性】
【００３１】
本考案の清掃ブラシは、操作柄の先端をブラシヘッドに、挿入する際に、螺入と共に凹溝と凸条の嵌合で外れないように係止されているので、清掃時に操作柄とブラシヘッドとの間でガタが発生するのを確実に防止できる。
また、清掃作業者が任意に操作柄をブラシヘッドからの着脱作業を行うことができ、刷毛の磨耗時における交換、清掃ブラシの保管、管理および刷毛の乾燥を容易化する。
さらに、ブラシヘッドには、ナイフエッジが部が形成されているので、ブラシヘッドを反転させて、エッジ部で床などの汚れ落としに使用することができる。
【図面の簡単な説明】
【００３２】
【図１】本考案の実施の形態による清掃ブラシ全体を示す正面図である。
【図２】図１におけるブラシヘッドの正面図である。
【図３】図１におけるブラシヘッド平面図である。
【図４】図１におけるブラシヘッドの側面図である。
【図５】図１におけるブラシヘッドの縦断面図である。
【図６】図１における操作柄の正面図である。
【図７】図１における操作柄の下面図である。
【図８】図１におけるブラシヘッドと操作柄との螺合構造を示す断面図である。
【符号の説明】
【００３３】
１…ブラシヘッド，２…刷毛，３…操作柄，９…ナイフエッジ部，１０…取付孔，１０ａ…テーパ孔，１０ｂ…雌型螺条部，１１…凹溝，１３…取付部，１３ａ…テーパ部，１３ｂ…雄型螺条部，１４…凸条
【図１】
0003133816.tif 000003
【図２】
0003133816.tif 000004
【図３】
0003133816.tif 000005
【図４】
0003133816.tif 000006
【図５】
0003133816.tif 000007
【図６】
0003133816.tif 000008
【図７】
0003133816.tif 000009
【図８】
0003133816.tif 000010